(57)【要約】【課題】樹脂の使用量を削減しつつ、排熱のための通気孔を側壁部に設けた場合でも側壁部の剛性を確保することができる収納箱を提供する。【課題を解決するための手段】電気機器が収納される前面側が開口されたケースと、前記ケースの前面側に対応して被せられるカバーとを備えた収納箱であって、前記ケースの側壁に、該ケースの底面側から側壁端縁に至る凹み部が形成される一方、前記カバーの側壁においては、前記凹部に対応する位置には凹部が形成されず、前記ケースに前記カバーをかぶせた時に、前記ケースの側壁の凹み部と前記カバーの側壁との間に、収納箱内部と外部とを連通させる孔部を形成して収納箱を構成している。【選択図】図１
2016072531.tif 000002
【特許請求の範囲】
【請求項１】
電気機器が収納される前面側が開口されたケースと、
前記ケースの前面側に対応して被せられるカバーとを備えた収納箱であって、
前記ケースの側壁に、該ケースの底面側から側壁端縁に至る凹み部が形成される一方、
前記カバーの側壁においては、前記凹み部に対応する位置には凹部が形成されず、
前記ケースに前記カバーをかぶせた時に、
前記ケースの側壁の凹み部と前記カバーの側壁との間に、
収納箱内部と外部とを連通させる孔部が形成されることを特徴とする収納箱。
【請求項２】
前記凹み部の側壁端縁は、前記ケースの前面側方向に対して、
鋭角に設けられ、通気孔の広さが連続的に変化するように構成されることを特徴とする請求項１記載の収納箱。
【請求項３】
前記凹み部は、ケース側壁面に複数設けられることを特徴とする請求項２記載の収納箱。
【発明の詳細な説明】
【技術分野】
【０００１】
本発明は、電気機器を収納するための収納箱に関する。
【背景技術】
【０００２】
昨今、樹脂の使用を削減する省資源化が進んでいる。樹脂製の収納箱の設計においても、使用する樹脂の使用量を少なくしつつ、収納箱の合成を保つ工夫がなされている。一方、収納箱に電気機器など発熱を伴う機器を取り付ける場合には、電気機器等の安定動作のために、収納箱内から排熱を行う必要があった。
【０００３】
このため、従来から、収納箱の側壁に孔を設けて通気機能を備えたものが開示されている。（図６、図７）
【先行技術文献】
【特許文献】
【０００４】
特許文献１  特開２００２−２７１９２２
特許文献２  特開２０１３−２０７８２８
【発明の概要】
【発明が解決しようとする課題】
【０００５】
排熱のために通気孔を側壁部に設けると、該側壁部の剛性が低下し、電気機器を収納するための収納箱として性能が充分に発揮されないおそれがある。このため、側壁部の剛性の低下を抑制するために、背面側から前面方向にかけて側壁の撓みを抑えるための補強リブを配設して対応している。
しかしながら、補強リブを多用すると樹脂の使用量が増加することになるから、省資源の効果が減少するという課題があった。
【０００６】
そこで、本発明は、上記課題に鑑みてなされたもので、樹脂の使用量を削減しつつ、排熱のための通気孔を側壁部に設けた場合でも側壁部の剛性を確保することができる収納箱を提供することを目的とする。
【課題を解決するための手段】
【０００７】
本発明に係る収納箱は、電気機器が収納される前面側が開口されたケースと、前記ケースの前面側に対応して被せられるカバーとを備えた収納箱であって、前記ケースの側壁に、該ケースの底面側から側壁端縁に至る凹み部が形成される一方、前記カバーの側壁においては、前記凹部に対応する位置には凹み部が形成されず、前記ケースに前記カバーをかぶせた時に、前記ケースの側壁の凹み部と前記カバーの側壁との間に、収納箱内部と外部とを連通させる孔部を形成して収納箱を構成している。
【０００８】
かかる構成によれば、ケースの側壁部に該ケースの底面側から側壁端縁に至る凹み部が形成されるから、該凹み部自体が側壁の補強リブの役目を果たす。この場合、側壁部には孔部は形成されないから、単に平板状に側壁部を形成する場合と比較して側壁部の剛性を高めることができる。また、当然に、平板状の側壁部に対して孔部を形成する場合と比較して、側壁部の剛性を高く保持することができる。
【０００９】
また、前記凹み部の側壁端縁は、前記ケースの前面側方向に対して、鋭角に設けられ、通気孔の広さが連続的に変化するように構成してもよい。
【００１０】
かかる構成によれば、前記ケースの側壁の凹み部と前記カバーの側壁との間に、収納箱内部と外部とが連通する通気孔が形成され、通気孔の広さが連続的に内部に向かって広くなるように通気孔が形成されるから、効果的に排熱を行うことができる。
【００１１】
また、前記凹み部は、ケース側壁面に複数設けられることにより構成してもよい。
【００１２】
かかる構成によれば、
側壁部の剛性を下げぬよう、収納箱に設けられる通気孔の総面積を広くとることができる。
【発明の効果】
【００１３】
本発明によれば、樹脂の使用量を削減しつつ、排熱のための通気孔を側壁部に設けた場合でも側壁部の剛性を確保することができる収納箱を提供することができる。
【図面の簡単な説明】
【００１４】
【図１】実施形態に係る収納箱の前面側から見た斜視図であり、ケースにカバーが被せられた状態を示す。
【図２】収納箱の背面側から見た斜視図を示し、カバーを浮かした状態を示す。
【図３】収納箱の前面側から見た斜視図を示し、カバーを浮かした状態を示す。
【図４】収納箱の背面側から見た状態を示す。
【図５】収納箱におけるＡ−Ａ部分の断面図を示す。
【図６】従来例を示すための図である。
【図７】従来例を示すための図である。
【発明を実施するための形態】
【００１５】
次に、本発明の実施形態を図１乃至図５を参照しながら説明する。
【００１６】
（収納箱の構成）
図１は実施形態に係る収納箱１の前面側から見た斜視図であり、ケースにカバーが被せられた状態を示す。
【００１７】
なお、以下の説明において、「前」とはカバーに対し扉が設けられる側を、「後」とはカバーに対しケース１１が設けられる側を指すものとする。また、「上」及び「下」とは、収納箱１を住宅の壁面等に設置したときの上側及び下側をそれぞれ指すものとする。また、前後方向及び上下方向に直交する方向を左右方向と呼ぶものとする。
【００１８】
収納箱１の外郭は、電気機器が取り付けられるケース１１と、電気機器を一部露出させる開口を有してケース前方に取り付けられるカバー１２から構成される。
【００１９】
なお、カバーは開口を有さない構成とされていてもよい。
【００２０】
電気機器は、中底に取り付けられた状態でケース１１に固定される。電気機器は、例えば、太陽光発電システム、家庭用燃料電池システム等の連系用遮断器であり、例えば、入力側が太陽光発電システム用のパワーコンディショナーに接続され、出力側が家庭用の分電盤に接続される。
【００２１】
なお、電気機器は、遮断器に限定されず、系統切替器、電流制限器（リミッタ）、電力量計等の他の電気機器であってもかまわない。なお、本開示における電気機器は、遮断器のような強電系の電気機器に限定されず、例えば、半導体等の電子部品が搭載された弱電系の電子機器（例えば、タッチパネル式のディスプレイ）や、強電系の電気機器と弱電系の電子機器とを組み合わせたものを含む概念である。
【００２２】
（通気孔）
図２には、収納箱を背面側から見た斜視図を示している。ケース１１には、その側壁に、ケース１１の底面側（後側）から側壁の端縁に至る凹み部１１１ａ、１１１ｂが形成される。一方、カバー１２の側壁においては、前記凹み部に対応する位置には凹部が形成されず、カバー１２の側壁は外観視にて平板状に形成されている。
【００２３】
ケース１１に対して、その前面側にカバー１２を重ね合わせた時、ケース１１の側壁の凹み部とカバー１２の側壁との間に、凹み分の空間が生じ、収納箱内部と外部とを連通させる孔部が形成される。
【００２４】
このように、通気孔がケース１１に対して、その前面側にカバー１２を重ね合わせた時に形成される。ケース１１の側壁部には孔部は形成されず、凹み部１１１ａ、１１１ｂ自体がケース側壁の補強リブの役目を果たすから、ケース１１の側壁部を平板状に形成する場合と比較して側壁部の剛性を高めることができる。
【００２５】
凹み部１１１ａ、１１１ｂの側壁端縁は、ケース１１の前面側方向に対して、鋭角に設けられている。カバー１２の側壁との間に生ずる通気孔の広さを収納箱内方側に向かって広く設けることができ、排熱効果を高めることができる。
【００２６】
尚、本発明は、上記実施形態に限定されるものではなく、本発明の要旨を逸脱しない範囲で種々の変更が可能である。
【００２７】
例えば、凹み部１１１ａ、１１１ｂの凹み具合を変化させ、浅い凹みと深い凹みを設けてもよい。収納箱に取り付ける電気機器の排熱量に応じて通気孔の大きさを適宜設定することができる。なお、本発明における通気孔は、収納箱の前面側からは視認できないため、通気孔が視覚的に臨むことがない。また、通気孔の形成方向は前後方向であり、収納箱の上下方向には形成されないから、収納箱を壁面等に取り付けて使用する場合においても、上方からの塵埃が収納箱内部に直接的に入ることを抑制でき、内部の電気機器への塵埃による影響を低減させることができる。
【符号の説明】
【００２８】
１  収納箱
１１  ケース
１１１ａ  凹み部
１１１ｂ  凹み部
【図１】
2016072531.tif 000003
【図２】
2016072531.tif 000004
【図３】
2016072531.tif 000005
【図４】
2016072531.tif 000006
【図５】
2016072531.tif 000007
【図６】
2016072531.tif 000008
【図７】
2016072531.tif 000009